(57)【特許請求の範囲】
【請求項１】
競技に出場する選手の採点を行うための競技採点システムであって、コンピュータと、複数の審査員が採点するための前記コンピュータに無線で接続された複数の採点装置と、前記コンピュータに接続された表示装置とを備え、前記コンピュータは、当該競技に出場する選手の番号を前記夫々の採点装置へ送信する選手番号送信手段と、前記夫々の採点装置から送信されてきた採点結果を受信する採点結果受信手段と、これらの受信した採点結果を集計する集計手段と、この集計した集計結果を前記表示装置に出力する表示出力手段とを有し、前記採点装置は、前記コンピュータから送信された選手の番号を受信する選手番号受信手段と、前記受信された番号を表示する表示手段と、前記表示された番号の中から任意の番号を選択する選択手段と、前記選択された番号を前記採点結果として前記コンピュータに送信する選択結果送信手段とを有したことを特徴とする競技採点システム。
【請求項２】
表示装置がコンピュータに無線で接続されたことを特徴とする請求項１記載の競技採点システム。
【請求項３】
審査員が競技に出場する選手の採点を行うための競技採点装置であって、当該競技に出場する選手の番号を無線で受信する選手番号受信手段と、前記受信された番号を表示する表示手段と、前記表示された番号の中から任意の番号を選択する選択手段と、前記選択された選択番号を無線で送信する選択番号送信手段とを備えた競技採点装置。
【請求項４】
選択手段が、表示手段に表示された番号に触れることにより番号を選択することを特徴とする請求項３記載の競技採点装置。
【請求項５】
マイクロホンを備え、選択手段が、前記マイクロホンから入力された音声を認識することにより番号を選択することを特徴とする請求項３記載の競技採点装置。
【請求項６】
表示手段が、選択手段により選択された番号の表示を変化させることを特徴とする請求項３記載の競技採点装置。
【請求項７】
選手番号受信手段が、当該競技に出場する選手の番号および当該競技に勝ち残るべき規定の員数である規定勝残り数を無線で受信すると共に、表示手段が、前記規定勝残り数に対する選択番号の数を表示することを特徴とする請求項３記載の競技採点装置。
【請求項８】
競技が複数の回戦に分けて実施される場合、表示手段が、当該競技の規定勝残り数もしくは当該回戦までの累積の規定勝残り数に対する当該回戦までの選択番号の累積数を表示することを特徴とする請求項３記載の競技採点装置。
【発明の詳細な説明】
【０００１】
【発明の属する技術分野】
本発明は、ダンススポーツ競技会等で使用される競技採点システムおよび競技採点装置に関する。
【０００２】
【従来の技術】
ダンススポーツ競技会における、従来の採点の仕方について説明する。
【０００３】
近年、全国各地で、種々のレベルのダンススポーツ競技会が頻繁に開催されるようになってきた。通常、ダンススポーツ競技会では、大きくはモダン種目とラテン種目とに分けられる。モダン種目には、ワルツ、タンゴ、スローフォックストロット、クイックステップ、ウインナワルツが含まれ、ラテン種目には、ルンバ、サンバ、チャチャチャ、パソドブレ、ジャイブが含まれる、さらに各種目毎に、Ａ級、Ｂ級、Ｃ級、Ｄ級、１級〜６級等のランク別に分けて競技が行われる。
【０００４】
各競技では、出場選手が多い場合、１次予選、２次予選、・・・、準決勝の順に選手を絞って行き、最後に残った６組の選手で決勝戦が行われる。各予選では、通常、約１２組づつ複数の回戦（ヒート）に分けて競技が行われる。
【０００５】
例えば、出場選手が７０組の場合、１次予選では、６ヒート（各ヒート１１〜１２組）に分けて行われ、各ヒートで３〜４組が落ち、４８組が勝ち残って２次予選に進む。２次予選では４ヒート（各ヒート１２組）に分けて行われ、半数が落ち、２４組が勝ち残って３次予選に進む。３次予選では２ヒート（各ヒート１２組）で行われ、半数が落ち、１２組が勝ち残って準決勝戦に進む。準決勝戦では１ヒート（１２組）で行われ、６組が勝ち残って決勝戦に進む。最近では、これらのヒート割付（各予選で、どの選手が何ヒート目になるかの割付）はコンピュータを用いて行われている。
【０００６】
選手は、事前に、競技会事務局に対して、出場希望の競技種目（モダン、ラテンの区別および級）を明確にして出場の申し込みを行う。事務局は、申し込んだ各選手に背番号を付与する。選手は、競技会当日、受付で背番号の付いたゼッケンを受け取る。受付を行った選手の背番号は、コンピュータに入力され、各競技種目毎にヒート割付が行われる。ヒート割付の結果はプリントアウトされ、会場内に掲示される。
【０００７】
競技の採点は、通常３名から９名の審査員によって行われる。各ヒートにおいて、競技の直前に係員が審査員に採点用紙を配る。採点用紙には、そのヒートの出場選手の背番号がプリントアウトされている。各予選の開始時に、その予選の出場組数と、勝ち残って上位予選に進む規定の勝残り組数（規定アップ数）がアナウンスされる。このアナウンスを基に、審査員は、各ヒートの競技中に、出場選手の中から勝ち残らせたい複数組を選んで（ピックアップして）採点用紙の番号に○を付ける。図４に採点用紙の例を示す。この例の場合、出場選手数は１２組であるが、そのうちの１組が欠場している。欠場した選手の背番号は、各ヒートの競技開始直前にアナウンスされるため、審査員は予めその番号に×印を付けておく。この例では、No.５審査員によって、１１組の中から６組がピックアップされて○が付けられた状態を示している。
【０００８】
各ヒートの競技が終わると採点用紙は係員が回収する。回収された採点用紙に記入された各審査員の採点結果は、コンピュータに入力され集計処理される。そして○の多い選手から順に、規定アップ数だけ上位予選に進む勝残り選手が決定される。さらに、上位予選におけるヒート割付が行われる。この集計結果はプリントアウトされ、会場内に掲示される。各選手は、この掲示を見て、自分が予選に勝ち残れたかどうか、また勝ち残れた場合は、上位予選の何ヒート目に出場するのかを確認する。
【０００９】
なお、決勝戦における採点方法は、○を付ける方法ではなく、各審査員が１位から６位までの順位を付ける順位法で行われる。
【００１０】
【発明が解決しようとする課題】
以上のような競技採点方法では、各競技が終わってから、採点用紙を回収し、コンピュータに入力して集計処理を行い、その結果をプリントアウトして掲示するという手順を踏むため、非常に時間が掛かり、それまでの間、選手は自分が予選に勝ち残れたかどうか判らないという問題があった。また、掲示された集計結果では、小さくて見にくいという問題があった。
【００１１】
本発明は、競技終了後直ちにその採点集計結果を表示できるようにすることを目的とする。
【００１２】
【課題を解決するための手段】
この課題を解決するために本発明は、コンピュータに無線で接続された採点装置と、コンピュータに接続された表示装置とを備え、コンピュータから採点装置へ出場する選手の番号を送信し、採点装置ではその番号を表示し、表示された番号の中から任意の番号を選択し、選択された番号を採点結果としてコンピュータに送信し、コンピュータでは受信した採点結果を集計し、集計結果を表示装置に出力するようにしたものである。
【００１３】
これにより、競技が終了するとその採点集計結果が直ちに表示装置に表示できるため、選手は自分が勝ち残ったかどうかを直ちに確認することができる。
【００１４】
【発明の実施の形態】
本発明の請求項１に記載の発明は、競技に出場する選手の採点を行うための競技採点システムであって、コンピュータと、複数の審査員が採点するための前記コンピュータに無線で接続された複数の採点装置と、前記コンピュータに接続された表示装置とを備え、前記コンピュータは、当該競技に出場する選手の番号を前記夫々の採点装置へ送信する選手番号送信手段と、前記夫々の採点装置から送信されてきた採点結果を受信する採点結果受信手段と、これらの受信した採点結果を集計する集計手段と、この集計した集計結果を前記表示装置に出力する表示出力手段とを有し、前記採点装置は、前記コンピュータから送信された選手の番号を受信する選手番号受信手段と、前記受信された番号を表示する表示手段と、前記表示された番号の中から任意の番号を選択する選択手段と、前記選択された番号を採点結果として前記コンピュータに送信する採点結果送信手段とを有したものであり、競技が終了するとその採点集計結果が直ちに表示装置に表示できるため、選手は自分が勝ち残ったかどうかを直ちに確認することができるという作用を有する。
【００１５】
請求項２に記載の発明は、表示装置がコンピュータに無線で接続されたものであり、表示装置の設置が容易になるという作用を有する。
【００１６】
請求項３に記載の発明は、審査員が競技に出場する選手の採点を行うための競技採点装置であって、当該競技に出場する選手の番号を無線で受信する選手番号受信手段と、前記受信された番号を表示する表示手段と、前記表示された番号の中から任意の番号を選択する選択手段と、前記選択された選択番号を無線で送信する選択番号送信手段とを備えたものであり、係員による採点用紙の配布回収が不要になるという作用を有する。
【００１７】
請求項４に記載の発明は、選択手段が、表示手段に表示された番号に触れることにより番号を選択するものであり、審査員が筆記用具を持たなくても良くなるという作用を有する。
【００１８】
請求項５に記載の発明は、マイクロホンを備え、選択手段が、前記マイクロホンから入力された音声を認識することにより番号を選択するものであり、審査員は採点装置を見ずに競技に集中しながら採点できるという作用を有する。
【００１９】
請求項６に記載の発明は、表示手段が、選択手段により選択された番号の表示を変化させるものであり、選択済みの番号を判別し易いという作用を有する。
【００２０】
請求項７に記載の発明は、選手番号受信手段が、当該競技に出場する選手の番号および当該競技に勝ち残るべき規定の員数である規定勝残り数を無線で受信すると共に、表示手段が、前記規定勝残り数に対する選択番号の数を表示するものであり、審査員があと何組選択すれば良いかが簡単に判るという作用を有する。
【００２１】
請求項８に記載の発明は、競技が複数の回戦に分けて実施される場合、表示手段が、当該競技の規定勝残り数もしくは当該回戦までの累積の規定勝残り数に対する当該回戦までの選択番号の累積数を表示するものであり、前回戦までの選択数の過不足を簡単に補える。
【００２２】
以下、本発明の実施の形態について、図１から図３を用いて説明する。
【００２３】
（実施の形態１）
図１は、本発明における実施の形態１に係る競技採点システムのブロック線図を示す。図１において、１はコンピュータであり、採点に関するデータの処理を行う。２はコンピュータ１の出力を表示する大型の表示装置であり、競技会の会場内に設置される。３はコンピュータ１との間でブルートゥース等の無線で接続された採点装置であり、複数の審査員が所持して採点に使用する。
【００２４】
図２は、採点装置３の外観面である。図３において、３１はコンピュータ１との間で無線で送受信するためのアンテナ、３２はタッチパネル（感圧スイッチ付き透明パネル）付きの液晶パネルで構成された表示部、３３は出場選手の番号を表示部３２上に表示する番号表示部、３４は所定アップ数に対するピックアップ数を表示部３２上に表示するアップ数表示部、３５は審査員の声を入力するマイクロホンである。
【００２５】
各種目の予選において、各ヒートの競技開始直前に、コンピュータ１から各採点装置３に向けて、当該ヒートの出場選手の番号と、そのヒートで何組ピックアップすれば良いかを示す所定アップ数とが送信される。欠場者が出た場合は、事前にその情報をコンピュータに入力すれば、欠場者の番号は送信されない。
【００２６】
採点装置３は、受信した選手の番号を番号表示部３３に番号順に並べて表示する。図２は競技が開始される前の状態の採点装置３を示す。この場合は、１１組の選手の番号が表示されている。また、アップ数表示部３４に表示される所定アップ数は６が、ピックアップ数は０が表示されている。
【００２７】
審査員がピックアップしたい選手の番号の部分を指で押すと、その番号表示部が反転して、その番号がピックアップ済みであることを表示するため、審査員は筆記用具を持つ必要が無い。図３は、採点中の状態の採点装置３を示す。この場合、５組がピックアップされた状態を示す。このようにピックアップ済みの選手の番号とその数が表示されるため、審査員は、ピックアップ済みの番号を数えなくても、あと何組ピックアップすれば良いかが簡単に判る。また、ピックアップを取消したい場合は、その番号を指で長く（例えば１秒以上）押し続けることにより取消され、非反転表示に戻る。
【００２８】
アップ数表示部３４には、図２、図３に示すようにピックアップ数と所定アップ数とを並べて表示しても良いし、これらの差の数を表示しても良いし、またこれらを棒グラフで表示しても良い。
【００２９】
ところで、例えば、前のヒートでは優れた選手が少なくて、ピックアップ数が所定アップ数に満たなかった場合、後の優れた選手が多いヒートでその不足分を補うということが行われる場合がある。このような場合のために、アップ数表示部３４に表示するピックアップ数の代わりに、その審査員のその予選の前ヒートまでのピックアップ数も加えた累積ピックアップ数を表示するようにしても良い。その場合は、そのヒートの所定アップ数の代わりに、その予選全体の規定アップ数、もしくはその予選の前ヒートまでの所定アップ数も加えた累積所定アップ数を表示するようにしても良い。
【００３０】
競技が終わると、コンピュータ１からの指令により、各採点装置３からピックアップされた番号が採点結果としてコンピュータ１に送信される。コンピュータ１では、選手毎に各採点者によるピックアップ数を集計し、ピックアップ数の多い選手から順に規定アップ数までを勝残り選手として決定する。さらに、勝残り選手の上位予選におけるヒート割付も行う。以上の集計結果は、コンピュータ１から表示出力として表示装置２へ出力し、表示する。表示出力は、ケーブルで出力しても良いが、無線で出力する方が表示装置２の設置が容易になる。
【００３１】
さらに、集計結果は、表示装置に出力するだけでなく、プリンターにも出力して掲示すれば、表示装置を見落とした場合でも、後で確認できる。プリントアウトする内容は、予選通過者と上位予選のヒート割だけでなく、各選手がどの審査員にどう採点されたかの詳細な評価結果を含めるようにしても良い。
【００３２】
以上のように、本実施の形態によれば、コンピュータ１からそのヒートの出場選手の番号を無線で採点装置３へ送信するため、係員が採点用紙を配る必要がなくなる。また、欠場選手があっても、審査員はそれを削除する必要がない。またピックアップの仕方は採点装置３の表示画面を指で押せば良いため、審査員は筆記用具を持つ必要がない。また、ピックアップ済みの番号は表示が変化するため、どれがピックアップ済みの番号かを判別し易い。また、何組みピックアップしたかの数が表示されるため、採点者が採点中にピックアップ済みの番号の数を数える必要が無く、また所定ピックアップ数も表示されるため、あと何組みピックアップすれば良いかが簡単に判る。また、集計結果は、採点装置３からコンピュータ１へ自動的に送信されるため、係員が採点用紙を回収する必要が無いし、採点結果をコンピュータに入力する手間も要らず、また、入力に伴うミスも発生しない。そして、各予選が終了すると直ちに採点の集計結果が表示装置２に表示されるため、選手は自分が勝ち残ったかどうかを直ぐに知ることができる。
【００３３】
ところで、審査員がピックアップする方法として、上記説明では、番号表示部３３を押す方法を使用しているが、その代わりに、マイクロホン３５から音声で入力し、それを採点装置３の内部で認識して番号に変換するという方法を使用すれば、審査員は採点装置の表示部を見なくてもよく、競技の方に集中しながら採点できる。
【００３４】
また、ピックアップした番号は、上記説明のように表示を反転させる代わりに、番号を四角や丸の枠で囲むようにしても良い。
【００３５】
また、選手の番号には、背番号のほか、選手の名前やＡ，Ｂ，Ｃ等の記号も含まれる。
【００３６】
なお、以上の説明では、採点装置として専用の端末を使用した例で説明しているが、汎用の携帯情報端末機を使用し、ソフトウエアで採点装置としての機能を持たせるようにしても良い。
【００３７】
【発明の効果】
以上のように本発明によれば、各競技の開始前にコンピュータから出場選手の番号を採点装置に送信し、採点後採点装置からコンピュータに採点結果を送信し、それをコンピュータで集計し、集計結果を表示装置に表示することにより、係員が審査員に採点用紙を配ったり回収したりする必要が無くなり、人手が少なくて済むし、また採点結果の入力ミスも無くなるという効果が得られる。また選手にとって、競技後直ぐに自分が勝ち残ったかどうかが判るという効果が得られる。
また、採点装置に選択番号の数を表示することにより、審査員にとって、選択済み番号の数を数える必要が無くなるという効果が得られる。
【図面の簡単な説明】
【図１】本発明の一実施の形態による競技採点システムを示すブロック線図
【図２】本発明の一実施の形態による採点装置の外観図（採点前）
【図３】本発明の一実施の形態による採点装置の外観図（採点中）
【図４】従来の採点用紙を示す図
【符号の説明】
１・・・コンピュータ
２・・・表示装置
３・・・採点装置
３１・・・アンテナ
３２・・・表示部
３３・・・番号表示部
３４・・・アップ数表示部
３５・・・マイクロホン
【図１】
0004440451.tif 000002
【図２】
0004440451.tif 000003
【図３】
0004440451.tif 000004
【図４】
0004440451.tif 000005